(57)【要約】【課題】従来のものに比べて巻爪矯正具の巻爪への装着作業を容易に行うことができる巻爪矯正具を提供することを課題とする。【解決手段】弾性部材１０と、挿入部２２とフック部２１とを備える一対の端子部材２０と、を具備し、巻爪４０の両側縁部に一対の端子部材２０のフック部２１をそれぞれ引掛けて巻爪４０の両側縁部に一対の端子部材２０をそれぞれ配置し、一対の端子部材２０の挿入部２２に挿入して撓むようにして巻爪４０の上方に弾性部材１０を配置して、弾性部材１０の弾性力によって一対の端子部材２０を介して巻爪４０の両側縁部を引上げるようにして巻爪４０が解消するように巻爪４０を矯正する巻爪矯正具１とする。【選択図】図１
2014113322.tif 000002
【特許請求の範囲】
【請求項１】
巻爪が解消するように前記巻爪を矯正する、巻爪矯正具であって、
弾性部材と、挿入部とフック部とを備える一対の端子部材と、を具備し、
前記巻爪の両側縁部に前記一対の端子部材のフック部をそれぞれ引掛けて前記巻爪の両側縁部に前記一対の端子部材をそれぞれ配置し、前記一対の端子部材の挿入部に挿入して撓むようにして前記巻爪の上方に前記弾性部材を配置して、前記弾性部材の弾性力によって前記一対の端子部材を介して前記巻爪の両側縁部を引上げるようにして前記巻爪を矯正する、
巻爪矯正具。
【請求項２】
前記一対の端子部材が前記巻爪の両側縁部にそれぞれ配置された状態で、前記一対の端子部材を互いに近接する方向に付勢するように構成される線状部材を具備する、請求項１に記載の巻爪矯正具。
【請求項３】
前記端子部材のフック部は、前記巻爪の爪溝内における側縁部に引掛けることができるように構成される、請求項１または請求項２に記載の巻爪矯正具。
【発明の詳細な説明】
【技術分野】
【０００１】
本発明は、巻爪が解消するように巻爪を矯正する巻爪矯正具の技術に関する。
【背景技術】
【０００２】
従来、巻爪が解消するように巻爪を矯正する巻爪矯正具の技術は種々知られている。
前記巻爪矯正具は、巻爪に装着された状態を数ヶ月間に渡って継続することによって、巻爪を解消するものである。
ここで、巻爪とは、人体の指（主に足の親指）の爪の両側縁部が内側に丸まって当該指に食い込むような状態になったものを言う。巻爪が生じると、当該巻爪が食い込んだ所に、痛みが生じ、また、炎症・化膿等を引起す場合がある。
【０００３】
また、前記巻爪矯正具には、例えば、弾性部材と一対の端子部材とを具備するものがある（特許文献１参照）。
前記巻爪矯正具は、巻爪の両側縁部に一対の端子部材のフック部をそれぞれ引掛けて巻爪の両側縁部に一対の端子部材をそれぞれ配置し、巻爪の上方に撓むようにして弾性部材を配置して、弾性部材の弾性力によって一対の端子部材を介して巻爪の両側縁部を引上げるようにして巻爪を矯正するように構成される。
【先行技術文献】
【特許文献】
【０００４】
【特許文献１】登録実用新案第３１３３２３３号公報
【発明の概要】
【発明が解決しようとする課題】
【０００５】
しかしながら、前記巻爪矯正具では、巻爪矯正具の巻爪への装着作業を行うときに、弾性部材を巻爪の上方に配置するにあたって、巻爪の両側縁部に配置された一対の端子部材に弾性部材（弾性部材の両端の一端および他端）を接着することを要する。
そして、前記巻爪矯正具では、巻爪矯正具の巻爪への装着作業を行うときに、一対の端子部材と弾性部材との接着箇所が十分に接着されるまで、前記接着箇所が動かないように（前記接着箇所がズレないように）端子部材と弾性部材とを保持しておく必要があり、巻爪矯正具の巻爪への装着作業が煩雑なものであった。
【０００６】
本発明は以上の如き状況に鑑みてなされたものであり、従来のものに比べて、巻爪矯正具の巻爪への装着作業を容易に行うことができる巻爪矯正具を提供することを課題とする。
【課題を解決するための手段】
【０００７】
本発明の解決しようとする課題は以上の如くであり、次にこの課題を解決するための手段を説明する。
【０００８】
即ち、請求項１においては、巻爪が解消するように前記巻爪を矯正する、巻爪矯正具であって、弾性部材と、挿入部とフック部とを備える一対の端子部材と、を具備し、前記巻爪の両側縁部に前記一対の端子部材のフック部をそれぞれ引掛けて前記巻爪の両側縁部に前記一対の端子部材をそれぞれ配置し、前記一対の端子部材の挿入部に挿入して撓むようにして前記巻爪の上方に前記弾性部材を配置して、前記弾性部材の弾性力によって前記一対の端子部材を介前記巻爪の両側縁部を引上げるようにして前記巻爪を矯正するものである。
【０００９】
請求項２においては、前記一対の端子部材が前記巻爪の両側縁部にそれぞれ配置された状態で、前記一対の端子部材を互いに近接する方向に付勢するように構成される線状部材を具備するものである。
【００１０】
請求項３においては、前記端子部材のフック部は、前記巻爪の爪溝内における側縁部に引掛けることができるように構成されるものである。
【発明の効果】
【００１１】
本発明の効果として、以下に示すような効果を奏する。
【００１２】
即ち、本発明によれば、従来のものに比べて、巻爪矯正具の巻爪への装着作業を容易に行うことができる。
【図面の簡単な説明】
【００１３】
【図１】本発明の実施形態に係る巻爪矯正具の全体的な構成を示した平面図。
【図２】同じく正面図。
【図３】同じく巻爪矯正具の端子部材を示した正面図。
【図４】同じく側面図。
【図５】同じく平面図。
【図６】同じく巻爪矯正具を巻爪に挿着する状態を示した平面図。
【図７】同じく正面図。
【図８】同じく拡大平面図。
【図９】同じく巻爪矯正具の全体的な構成を示した平面図。
【図１０】同じく正面図。
【図１１】同じく巻爪矯正具の端子部材を示した正面図。
【図１２】同じく正面図。
【図１３】同じく側面図。
【図１４】同じく平面図。
【図１５】同じく巻爪矯正具を巻爪に挿着する状態を示した正面図。
【図１６】同じく正面図。
【図１７】同じく正面図。
【図１８】同じく巻爪矯正具の全体的な構成を示した平面図。
【図１９】同じく正面図。
【図２０】同じく拡大正面図。
【図２１】同じく巻爪矯正具の端子部材と線状部材とを示した正面図。
【図２２】同じく側面図。
【図２３】同じく平面図。
【図２４】同じく巻爪矯正具を巻爪に挿着する状態を示した平面図。
【図２５】同じく正面図。
【図２６】同じく拡大平面図。
【図２７】同じく巻爪矯正具の全体的な構成を示した正面図。
【図２８】同じく巻爪矯正具の全体的な構成を示した平面図。
【図２９】同じく正面図。
【図３０】同じく巻爪矯正具の端子部材と線状部材とを示した正面図。
【図３１】同じく側面図。
【図３２】同じく平面図。
【図３３】同じく巻爪矯正具を巻爪に挿着する状態を示した平面図。
【図３４】同じく正面図。
【図３５】同じく拡大平面図。
【図３６】同じく平面図。
【図３７】同じく正面図。
【図３８】同じく巻爪矯正具の全体的な構成を示した正面図。
【図３９】同じく巻爪矯正具の全体的な構成を示した平面図。
【図４０】同じく正面図。
【図４１】同じく巻爪矯正具の端子部材と線状部材とを示した正面図。
【図４２】同じく正面図。
【図４３】同じく側面図。
【図４４】同じく平面図。
【図４５】同じく巻爪矯正具を巻爪に挿着する状態を示した正面図。
【図４６】同じく正面図。
【図４７】同じく正面図。
【図４８】同じく正面図。
【図４９】同じく巻爪矯正具の全体的な構成を示した平面図。
【図５０】同じく正面図。
【図５１】同じく拡大平面図。
【図５２】同じく巻爪矯正具の端子部材と線状部材とを示した正面図。
【図５３】同じく側面図。
【図５４】同じく平面図。
【図５５】同じく巻爪矯正具を巻爪に挿着する状態を示した正面図。
【図５６】同じく正面図。
【図５７】同じく巻爪矯正具の端子部材と線状部材とを示した平面図。
【図５８】同じく正面図。
【図５９】同じく巻爪矯正具の全体的な構成を示した側面図。
【図６０】同じく平面図。
【図６１】同じく正面図。
【図６２】同じく巻爪矯正具の端子部材を示した正面図。
【図６３】同じく側面図。
【図６４】同じく平面図。
【図６５】同じく巻爪矯正具を巻爪に挿着する状態を示した正面図。
【図６６】同じく拡大正面図。
【図６７】同じく正面図。
【図６８】同じく巻爪矯正具の全体的な構成を示した正面図。
【図６９】同じく巻爪矯正具の弾性部材と端子部材と線状部材とを示した正面図。
【図７０】同じく正面図。
【図７１】同じく巻爪矯正具を巻爪に挿着する状態を示した正面図。
【図７２】同じく正面図。
【図７３】同じく正面図。
【発明を実施するための形態】
【００１４】
次に、図１から図８に記載の巻爪矯正具１について説明する。
【００１５】
巻爪矯正具１は、図１または図２に示すように、巻爪４０に装着されて、巻爪４０が解消するように巻爪４０を矯正するように構成される。
ここで、巻爪４０とは、人体の指（主に足の親指）の爪の両側縁部が内側に丸まって当該指に食い込むような状態になったものを言う。
巻爪矯正具１は、図１乃至図５に示すように、弾性部材１０と、一対の端子部材２０と、を具備する。
【００１６】
巻爪矯正具１の弾性部材１０は、所定の弾性力を有する部材であり、形状記憶合金素材または形状記憶樹脂素材からなる直線状の棒状に構成される。
弾性部材１０は、巻爪矯正具１が巻爪４０に装着された状態で、巻爪４０の両側縁部に亘るように巻爪４０の上方（巻爪４０の上面の上方）に配置される。
弾性部材１０は、巻爪矯正具１が巻爪４０に装着された状態で、その胴部（一端部および他端部以外の部分）が撓むようにして配置されて、巻爪４０の両側縁部を引上げるように構成される。
弾性部材１０は、巻爪矯正具１が巻爪４０に装着された状態で巻爪４０の両側縁部を引上げて、巻爪４０が解消するように巻爪４０を矯正することができるような弾性力を有する。
【００１７】
巻爪矯正具１の一対の端子部材２０は、巻爪矯正具１が巻爪４０に装着された状態で、巻爪４０の両側縁部にそれぞれ配置される。巻爪矯正具１が巻爪４０に装着された状態で、例えば、巻爪矯正具１の一対の端子部材２０のうち一方の端子部材２０が巻爪４０の左側縁部に配置され、他方の端子部材２０が巻爪４０の右側縁部に配置される。
端子部材２０は、フック部２１と、挿入部２２と、を備える。
【００１８】
巻爪矯正具１の端子部材２０のフック部２１は、巻爪４０の側縁部に引掛けることができるように構成される。
端子部材２０のフック部２１は、平板状の部材が正面視略Ｕ字状（正面視略コ字状）に形成されて構成される。
【００１９】
巻爪矯正具１の端子部材２０の挿入部２２は、弾性部材１０が取付けられる部分である。端子部材２０の挿入部２２は、弾性部材１０の一端部または他端部が挿入されて、弾性部材１０が固定されるように構成される。
端子部材２０の挿入部２２は、一端側が開口する筒体で構成される。端子部材２０の挿入部２２は、他端側に底部を有する筒体で構成される。
端子部材２０の挿入部２２は、弾性部材１０の一端部または他端部の外径よりもやや大きい内径を有して構成される。端子部材２０の挿入部２２は、その開口から弾性部材１０の一端部または他端部を挿入可能に構成される。端子部材２０の挿入部２２は、端子部材２０の挿入部２２に弾性部材１０の一端部または他端部が挿入された状態では、挿入部２２の内面と弾性部材１０の外面とが当接して、弾性部材１０の一端部または他端部が端子部材２０の挿入部２２に挿入された状態を保持するように構成される。
端子部材２０の挿入部２２は、そのフック部２１が巻爪４０の側縁部に引掛けられた状態で、巻爪４０の上方（巻爪４０の上面の上方）に位置するように構成される。端子部材２０の挿入部２２は、フック部２１が巻爪４０の側縁部に引掛けられた状態で、挿入部２２の一端側が他端側よりも上方に位置するとともに、挿入部２２の軸心が巻爪４０の両側縁部を結ぶ直線に対して傾斜するように構成される。
【００２０】
巻爪矯正具１の端子部材２０は、金属素材からなる筒状の部材から成形される。
巻爪矯正具１では、前記筒状の部材の他端部及び中央部をプレスして平板状に形成され、当該プレスして平板状に形成された部分を二ヶ所においてそれぞれ約９０°折り曲げて正面視略Ｕ字状（コ字状）に形成することによって端子部材２０のフック部２１が形成され、前記筒状部材のプレスされていない部分で端子部材２０の挿入部２２が形成される。
このようにして、巻爪矯正具１の端子部材２０は形成される。
【００２１】
このように構成される巻爪矯正具１が、作業者によって巻爪４０に装着される手順について説明する。
【００２２】
まず、巻爪矯正具１では、巻爪４０の両側縁部に一対の端子部材２０のフック部２１をそれぞれ引掛けて、巻爪４０の両側縁部に一対の端子部材２０をそれぞれ配置する（図６乃至図８参照）。
次に、巻爪矯正具１では、一対の端子部材２０の挿入部２２に弾性部材１０の一端および他端をそれぞれ挿入して、撓むようにして巻爪４０の上方に弾性部材１０を配置する（図１または図２参照）。なお、このように弾性部材１０を配置する前に、巻爪矯正具１が装着される巻爪４０に応じた適切な長さになるように弾性部材１０を予め切断しておく。
このようにして、巻爪矯正具１は、作業者によって巻爪４０に装着される。
そして、このように巻爪４０に装着された巻爪矯正具１では、弾性部材１０の弾性力によって一対の端子部材２０を介して巻爪４０の両側縁部を引上げるようにして巻爪４０を付勢して、巻爪４０が解消するように巻爪４０を矯正する。巻爪矯正具１では、このように巻爪矯正具１が巻爪４０に装着された状態を数ヶ月間に渡って継続することによって、次第に巻爪４０が解消されることとなる。
【００２３】
以上のように、弾性部材１０と、巻爪４０の両側縁部に一対の端子部材２０のフック部２１をそれぞれ引掛けて巻爪４０の両側縁部に一対の端子部材２０をそれぞれ配置し、一対の端子部材２０の挿入部２２に弾性部材１０の一端部または他端部を挿入して、撓むようにして巻爪４０の上方に弾性部材１０を配置して、弾性部材１０の弾性力によって一対の端子部材２０を介して巻爪４０の両側縁部を引上げるようにして巻爪４０が解消するように巻爪４０を矯正する巻爪矯正具１では、巻爪４０の両側縁部に配置された一対の端子部材２０に弾性部材１０の一端および他端を接着することを要さずに、弾性部材１０を巻爪４０の上方に配置することができる。
したがって、巻爪矯正具１によれば、従来の巻爪矯正具（一対の端子部材と弾性部材との接着箇所が十分に接着されるまで、前記接着箇所が動かないように端子部材と弾性部材とを保持しておく必要がある巻爪矯正具）に比べて、巻爪矯正具１の巻爪４０への装着作業を容易に行うことができる。
【００２４】
巻爪矯正具１の端子部材２０のフック部２１は、平板状に構成されて、巻爪４０の爪溝内における側縁部に引掛けることができるように構成される。
端子部材２０のフック部２１は、フック部２１の先端部が爪先側から根元側に爪溝に沿うように挿入されて行って爪の裏面と指（爪床）との間に配置されて、巻爪４０の爪溝内における巻爪４０の側縁部に配置されるように構成される。
【００２５】
このように、巻爪矯正具１の端子部材２０のフック部２１は、巻爪４０の爪溝内における側縁部に引掛けることができるように構成される。
このため、巻爪矯正具１では、巻爪４０の爪溝内（爪先よりも根元側）において、弾性部材１０の弾性力によって端子部材２０を介して巻爪４０の両側縁部を引上げるようにして巻爪４０を付勢する。
そして、巻爪矯正具１では、このように巻爪４０の爪溝内（爪先よりも根元側）において、巻爪４０の両側縁部を引上げるようにして巻爪４０を付勢するため、巻爪４０の矯正が終了して巻爪矯正具１を爪から取外した後においても当該爪が再び巻爪４０の状態に戻り難くすることができる。
また、巻爪矯正具１では、その端子部材２０のフック部２１が巻爪４０の爪溝内における側縁部に引掛けることができるように構成されるため、先端部（遊離縁）の長さが短い巻爪４０であっても装着することができる。
したがって、巻爪矯正具１によれば、巻爪矯正具１が装着された巻爪４０の先端部を切ることができ、巻爪４０が過剰に伸びることによって、巻爪４０が破損しやすくなること、巻爪４０に鉤湾変形が生じること、靴下が破損すること、または、靴を履いたときに靴の内側で巻爪４０が圧迫されて痛みが生じること、等を防止することができる。
さらに、巻爪矯正具１によれば、その端子部材２０のフック部２１が巻爪４０の爪溝内における側縁部に引掛けることができるように構成されるため、端子部材２０のフック部２１が巻爪４０の爪溝外（巻爪４０の先端部）における側縁部に引掛けられるものに比べて、巻爪矯正具１を再装着する頻度（巻爪矯正具１の装着位置を巻爪４０の根元側へ変更する頻度）を低減させることができる。
【００２６】
なお、巻爪矯正具１の弾性部材１０は、板状の部材で構成することもできる。
【００２７】
次に、図９から図１７に記載の巻爪矯正具１について説明する。
なお、図９から図１７に記載の巻爪矯正具１の説明は、図１から図８に記載の巻爪矯正具１と同様の構成の部分については適宜省略し、図１から図８に記載の巻爪矯正具１の構成と異なる部分を中心に説明する。
【００２８】
巻爪矯正具１は、図９乃至図１４に示すように、弾性部材１０と、一対の端子部材２０と、脱落防止部材５０と、を具備する。
端子部材２０は、フック部２１と、挿入部２２と、を備える。
【００２９】
巻爪矯正具１は、一対の端子部材２０のうち一方の端子部材２０（例えば、巻爪４０の左側縁部に配置される端子部材２０）の挿入部２２の構成と、他方の端子部材２０（例えば、巻爪４０の右側縁部に配置される端子部材２０）の挿入部２２の構成とが、それぞれ異なるように構成される。
巻爪矯正具１では、一対の端子部材２０のうち少なくともいずれか一方の端子部材２０の挿入部２２は、一端側および他端側が開口する筒体で構成され、他方の一方の端子部材２０の挿入部２２は、一端側が開口するとともに他端側に底部を有する筒体で構成される。
以下において、前記一対の端子部材２０のうち一方の端子部材２０を巻爪４０の左側縁部に配置される端子部材２０（以下「端子部材２０Ｌ」という）とし、他方の端子部材２０を巻爪４０の右側縁部に配置される端子部材２０（以下「端子部材２０Ｒ」という）として、説明する。
【００３０】
巻爪矯正具１の端子部材２０Ｌの挿入部２２は、一端側が開口する筒体で構成される。端子部材２０Ｌの挿入部２２は、他端側に底部を有する筒体で構成される。
【００３１】
巻爪矯正具１の端子部材２０Ｒの挿入部２２は、一端側および他端側が開口する筒体で構成される。端子部材２０Ｒの挿入部２２は、他端側に底部を有さない筒体で構成される。
端子部材２０Ｒの挿入部２２は、弾性部材１０の一端部または他端部の外径よりもやや大きい内径を有して構成される。端子部材２０Ｒの挿入部２２は、その開口から弾性部材１０の一端部または他端部を挿入可能に構成される。端子部材２０Ｒの挿入部２２は、その他端側の開口から一端側の開口に弾性部材１０を貫装可能に構成される。端子部材２０Ｒの挿入部２２は、挿入部２２に弾性部材１０の一端部または他端部が挿入された状態では、挿入部２２の内面と弾性部材１０の外面とが当接して、弾性部材１０の一端部または他端部が挿入部２２に挿入された状態を保持するように構成される。
端子部材２０Ｒの挿入部２２は、そのフック部２１が巻爪４０の側縁部に引掛けられた状態で、巻爪４０の上方（巻爪４０の上面の上方）に位置するように構成される。端子部材２０Ｒの挿入部２２は、フック部２１が巻爪４０の側縁部に引掛けられた状態で、挿入部２２の一端側が他端側よりも上方に位置するとともに、挿入部２２の軸心が巻爪４０の両側縁部を結ぶ直線に対して傾斜するように構成される。
【００３２】
巻爪矯正具１の脱落防止部材５０は、弾性部材１０に取付けられて、端子部材２０Ｒの挿入部２２に挿入された弾性部材１０が端子部材２０Ｒの挿入部２２から脱落することを防止するように構成される。
脱落防止部材５０は、可塑性を有する素材で構成される。脱落防止部材５０は、金属素材のワイヤで構成される。
脱落防止部材５０は、線状部５１と、一対のリング部５２と、を備え、線状部５１の両端にリング部５２が設けられて構成される。
脱落防止部材５０の線状部５１は、端子部材２０Ｒの挿入部２２の軸心方向の長さよりも長く構成される。
脱落防止部材５０のリング部５２は、弾性部材１０を貫装可能に構成される。
【００３３】
巻爪矯正具１の脱落防止部材５０は、その一対のリング部５２に弾性部材１０の一端部または他端部が挿入されて、端子部材２０Ｒの挿入部２２に挿入された弾性部材１０が端子部材２０Ｒの挿入部２２から脱落することを防止するように構成される。
脱落防止部材５０は、端子部材２０Ｒの挿入部２２に弾性部材１０の一端部または他端部が挿入された状態では、一対のリング部５２に弾性部材１０が挿入された状態で一対のリング部５２の間に端子部材２０Ｒの挿入部２２が位置するように配置される。
脱落防止部材５０は、端子部材２０Ｒの挿入部２２に弾性部材１０の一端部または他端部が挿入された状態では、一対のリング部５２に弾性部材１０が挿入された状態で一対のリング部５２のうち一方のリング部５２が端子部材２０Ｒの挿入部２２の一端側の開口側近傍に位置するとともに他方のリング部５２が他端側の開口近傍に位置するように配置される。
【００３４】
このように構成される巻爪矯正具１が、作業者によって巻爪４０に装着される手順について説明する。
【００３５】
まず、巻爪矯正具１では、巻爪４０の両側縁部に端子部材２０Ｌ・２０Ｒのフック部２１をそれぞれ引掛けて、巻爪４０の両側縁部に端子部材２０Ｌ・２０Ｒをそれぞれ配置する。
次に、巻爪矯正具１では、弾性部材１０を、脱落防止部材５０の他方のリング部５２（外側に位置するリング部５２）に挿入して、端子部材２０Ｒの他端側の開口（外側に位置する開口）から端子部材２０Ｒに挿入する（図１５参照）。
次に、巻爪矯正具１では、弾性部材１０を、端子部材２０Ｒの一端側の開口（内側に位置する開口）から突出させるようにして脱落防止部材５０の一方のリング部５２（内側に位置するリング部５２）に挿入し、端子部材２０Ｌの挿入部２２に弾性部材１０を挿入して、撓むようにして巻爪４０の上方に配置する。このとき、巻爪矯正具１では、端子部材２０Ｒの他端側の開口（外側に位置する開口）から外側に弾性部材１０の一部が突出した状態となっている（図１６参照）。
次に、巻爪矯正具１では、脱落防止部材５０の線状部５１を縒り合せて、脱落防止部材５０の一対のリング部５２を端子部材２０Ｒの挿入部２２の一端側の開口と他端側の開口との近傍に位置させた状態とする（図１７参照）。
次に、巻爪矯正具１では、端子部材２０Ｒの他端側の開口（外側に位置する開口）から外側に突出する弾性部材１０を、少なくとも端子部材２０Ｒの外側（端子部材２０Ｒのフック部２１よりも外側）に突出しないような長さに切断する。
そして、巻爪矯正具１では、脱落防止部材５０の線状部５１の縒り合せた部分を端子部材２０Ｒの挿入部２２に、端子部材２０Ｒの他端側の開口から外側に突出する弾性部材１０を端子部材２０Ｒの挿入部２２に、端子部材２０Ｌの挿入部２２に挿入される弾性部材１０を端子部材２０Ｌの挿入部２２に、樹脂等の接着剤またはコーティング剤でそれぞれ固定する（不図示）。
このようにして、巻爪矯正具１は、作業者によって巻爪４０に装着される（図９または図１０参照）。
【００３６】
以上のように、一対の端子部材２０のうち少なくともいずれか一方の端子部材２０（端子部材２０Ｒ）の挿入部２２が一端側および他端側が開口する筒体で構成される巻爪矯正具１では、弾性部材１０を予め適切な長さに切断することなく弾性部材１０を配置することができる。また、巻爪矯正具１では、弾性部材１０の一端部または他端部を、一対の端子部材２０のうちいずれか一方の端子部材２０の挿入部２２にその一端側の開口から挿入することを要さない（弾性部材１０の一端部または他端部を、一対の端子部材２０のうちいずれか一方の端子部材２０の挿入部２２にその他端側の開口から挿入する）。
このため、巻爪矯正具１では、一対の端子部材２０の挿入部２２がいずれも他端側に底部を有する筒体で構成されるものに比べて、弾性部材１０を巻爪４０の上方に配置する作業（弾性部材１０を端子部材２０の挿入部２２に挿入する動作）を容易に行うことができる。
したがって、巻爪矯正具１によれば、一対の端子部材２０の挿入部２２がいずれも他端側に底部を有する筒体で構成されるものに比べて、巻爪矯正具１の巻爪４０への装着作業を容易に行うことができる。
【００３７】
また、脱落防止部材５０を具備する巻爪矯正具１では、端子部材２０の挿入部２２が一端側および他端側が開口する筒体で構成されて、弾性部材１０が端子部材２０の挿入部２２に貫装されるような構成であっても、端子部材２０（端子部材２０Ｒ）の挿入部２２に挿入された弾性部材１０が端子部材２０の挿入部２２から脱落することを防止することができる。
【００３８】
次に、図１８から図２７に記載の巻爪矯正具１について説明する。
なお、図１８から図２７に記載の巻爪矯正具１の説明は、図１から図１７に記載の巻爪矯正具１と同様の構成の部分については適宜省略し、図１から図１７に記載の巻爪矯正具１の構成と異なる部分を中心に説明する。
【００３９】
巻爪矯正具１は、図１８乃至図２３に示すように、一対の端子部材２０と、一対の線状部材３０と、を具備する。
【００４０】
巻爪矯正具１の端子部材２０は、フック部２１を備える。
端子部材２０は、金属素材からなる平面視長方形の平板状の部材の長手方向一端部側が正面視略Ｕ字状（正面視略コ字状）に形成されて構成される。
端子部材２０のフック部２１は、前記正面視略Ｕ字状に形成される部分で構成される。
【００４１】
巻爪矯正具１の線状部材３０は、巻爪矯正具１を巻爪４０に装着する作業者が操作することによって、一対の端子部材２０のフック部２１が巻爪４０の両側縁部にそれぞれ引掛けられた状態で、当該一対の端子部材２０を互いに近接する方向に付勢するように構成される。
線状部材３０は、可塑性を有する素材で構成される。線状部材３０は、金属素材のワイヤで構成される。
線状部材３０は、端子部材２０にそれぞれ固定して設けられる。線状部材３０は、平面視長方形の平板状の部材の長手方向他端部側（フック部２１と反対側）に配置される。
線状部材３０は、端子部材２０のフック部２１が巻爪４０の側縁部に引掛けられた状態（端子部材２０が巻爪４０の側縁部に配置された状態）で、線状部材３０の先端部が少なくとも巻爪４０の左右中央に至ることができるように構成される。一対の線状部材３０は、一対の端子部材２０のフック部２１が巻爪４０の両側縁部にそれぞれ引掛けられた状態（一対の端子部材２０が巻爪４０の両側縁部にそれぞれ配置された状態）で、それぞれの線状部材３０の先端部同士を交差可能に構成される。
【００４２】
このように構成される巻爪矯正具１が、作業者によって巻爪４０に装着される手順について説明する。
【００４３】
まず、巻爪矯正具１では、巻爪４０の両側縁部に一対の端子部材２０のフック部２１をそれぞれ引掛けて、巻爪４０の両側縁部に一対の端子部材２０をそれぞれ配置する（図２４乃至図２６参照）。
次に、巻爪矯正具１では、一対の線状部材３０を互いに縒り合せて行くことによって、一対の端子部材２０を互いに近接する方向に付勢する（図１８乃至図２０参照）。このとき、巻爪矯正具１では、一対の線状部材３０の縒り合せた部分が長く延出する場合、または、一対の線状部材３０の縒り合せた部分よりも先端部側に縒り合せていない部分が長く延出する場合には、一対の線状部材３０の長く延出する部分適度な長さに切断する。
そして、巻爪矯正具１では、一対の線状部材３０を互いに縒り合せた部分と、弾性部材１０と、を樹脂等の接着剤またはコーティング剤（不図示）で、固定する。
このようにして、巻爪矯正具１は、作業者によって巻爪４０に装着される。
【００４４】
以上のように、巻爪矯正具１では、巻爪矯正具１を巻爪４０に装着する作業者が操作すること（一対の線状部材３０を互いに縒り合せて行くこと）によって、一対の端子部材２０が巻爪４０の両側縁部にそれぞれ配置された状態（一対の端子部材２０のフック部２１が巻爪４０の両側縁部にそれぞれ引掛けられた状態）で、当該一対の端子部材２０を互いに近接する方向に付勢するように構成される。
そして、巻爪矯正具１の線状部材３０は、このように一対の端子部材２０を互いに近接する方向に付勢することによって、一対の端子部材２０を介して巻爪４０の両側縁部を引上げるようにして巻爪４０を付勢して、巻爪４０が解消するように巻爪４０を矯正する。
したがって、巻爪矯正具１によれば、従来の巻爪矯正具（一対の端子部材２０と弾性部材１０の一端および他端との接着箇所が十分に接着されるまで、前記接着箇所が動かないように端子部材２０と弾性部材１０とを保持しておく必要がある巻爪矯正具）に比べて、巻爪矯正具１の巻爪４０への装着作業を容易に行うことができる。
【００４５】
また、巻爪矯正具１の線状部材３０は、一対の端子部材２０のフック部２１が巻爪４０の両側縁部にそれぞれ引掛けられた状態で巻爪矯正具１を巻爪４０に装着する作業者が操作するときに、一対の線状部材３０を縛るようにして一対の端子部材２０を互いに近接する方向に付勢することによって、一対の端子部材２０を介して巻爪４０の両側縁部を引上げるようにして巻爪４０を付勢して、巻爪４０が解消するように巻爪４０を矯正することもできる。
また、巻爪矯正具１の線状部材３０は、樹脂素材からなる可撓性を有するワイヤで構成することもできる。
【００４６】
また、本実施形態では、巻爪矯正具１は、一対の線状部材３０を具備するが、一個の線状部材３０を具備する構成とすることもできる（図２７参照）。
このとき、一個の線状部材３０の一端部が一対の端子部材２０のうち一方の端子部材２０に設けられ、当該一個の線状部材３０の他端部が一対の端子部材２０のうち他方の端子部材２０に設けられる。
またことのき、一個の線状部材３０は、巻爪４０の左右の幅よりも長く構成されて、一対の端子部材２０のフック部２１が巻爪４０の両側縁部にそれぞれ引掛けられた状態で緊張しない（弛む）ように構成される。
【００４７】
次に、図２８から図３８に記載の巻爪矯正具１について説明する。
なお、図２８から図３８に記載の巻爪矯正具１の説明は、図１から図２７に記載の巻爪矯正具１と同様の構成の部分については適宜省略し、図１から図２７に記載の巻爪矯正具１の構成と異なる部分を中心に説明する。
【００４８】
巻爪矯正具１は、図２８乃至図３２に示すように、弾性部材１０と、一対の端子部材２０と、一対の線状部材３０と、を具備する。
【００４９】
巻爪矯正具１の端子部材２０は、フック部２１と、挿入部２２と、を備える。
端子部材２０は、金属素材からなる筒状の部材から成形される。
【００５０】
巻爪矯正具１の線状部材３０は、巻爪矯正具１を巻爪４０に装着する作業者が操作することによって、一対の端子部材２０のフック部２１が巻爪４０の両側縁部にそれぞれ引掛けられた状態で、当該一対の端子部材２０を互いに近接する方向に付勢するように構成される。
線状部材３０は、端子部材２０にそれぞれ固定して設けられる。
【００５１】
巻爪矯正具１では、線状部材３０の基端部を前記筒状の部材の一端側開口から挿入して前記筒状の部材の他端部に至るように配置した状態で、前記筒状の部材の他端部及び中央部をプレスして平板状に形成することによって線状部材３０が端子部材２０に固定され、当該プレスして平板状に形成された部分を二ヶ所においてそれぞれ約９０°折り曲げて正面視略Ｕ字状（コ字状）に形成することによって端子部材２０のフック部２１が形成され、前記筒状部材のプレスされていない部分で端子部材２０の挿入部２２が形成される。線状部材３０は、その基端部が、前記筒状の部材における二ヶ所において折り曲げられる部分のうち少なくとも前記筒状の部材の一端側開口側の折り曲げられる部分よりも前記筒状の部材の他端側開口側に位置してフック部２１に至るように、配置される。
このようにして、巻爪矯正具１では、端子部材２０が形成されるともに端子部材２０と線状部材３０とが組み立てられる。
【００５２】
このように構成される巻爪矯正具１が、作業者によって巻爪４０に装着される手順について説明する。
【００５３】
まず、巻爪矯正具１では、巻爪４０の両側縁部に一対の端子部材２０のフック部２１をそれぞれ引掛けて、巻爪４０の両側縁部に一対の端子部材２０をそれぞれ配置する（図３３乃至図３５参照）。
次に、巻爪矯正具１では、一対の線状部材３０を互いに縒り合せて行くことによって、一対の端子部材２０を互いに近接する方向に付勢して、巻爪４０の両側縁部にそれぞれ配置される一対の端子部材２０の位置を固定する（図３６または図３７参照）。
次に、巻爪矯正具１では、一対の端子部材２０の挿入部２２に弾性部材１０の一端および他端をそれぞれ挿入して、撓むようにして巻爪４０の上方に弾性部材１０を配置する（図２８または図２９参照）。
そして、巻爪矯正具１では、一対の線状部材３０を互いに縒り合せた部分と、弾性部材１０と、を樹脂等の接着剤またはコーティング剤（不図示）で、固定する。
このようにして、巻爪矯正具１は、作業者によって巻爪４０に装着される。
【００５４】
以上のように、巻爪矯正具１は、弾性部材１０と、一対の端子部材２０と、線状部材３０と、を具備する。巻爪矯正具１の線状部材３０は、巻爪矯正具１を巻爪４０に装着する作業者が操作すること（一対の線状部材３０を互いに縒り合せて行くこと）によって、一対の端子部材２０が巻爪４０の両側縁部にそれぞれ配置された状態（一対の端子部材２０のフック部２１が巻爪４０の両側縁部にそれぞれ引掛けられた状態）で、当該一対の端子部材２０を互いに近接する方向に付勢するように構成される。
そして、巻爪矯正具１では、線状部材３０によって、このように一対の端子部材２０を互いに近接する方向に付勢することによって、一対の端子部材２０を介して巻爪４０の両側縁部を引上げるようにして巻爪４０を付勢して、巻爪４０が解消するように巻爪４０を矯正する。
【００５５】
さらに、巻爪矯正具１の線状部材３０は、このように一対の端子部材２０を互いに近接する方向に付勢して、巻爪４０の両側縁部にそれぞれ配置される一対の端子部材２０の位置を固定する。
したがって、巻爪矯正具１によれば、一対の端子部材２０のフック部２１が巻爪４０の両側縁部にそれぞれ引掛けられた状態で弾性部材１０を巻爪４０の上に配置するときに、巻爪４０の両側縁部にそれぞれ配置される一対の端子部材２０の位置がズレることを防止することができる。
【００５６】
また、巻爪矯正具１の線状部材３０は、一対の端子部材２０のフック部２１が巻爪４０の両側縁部にそれぞれ引掛けられた状態で巻爪矯正具１を巻爪４０に装着する作業者が操作するときに、一対の線状部材３０を縛るようにして一対の端子部材２０を互いに近接する方向に付勢して、巻爪４０の両側縁部にそれぞれ配置される一対の端子部材２０の位置を固定することもできる。
【００５７】
また、巻爪矯正具１は、一対の線状部材３０を具備するが、一個の線状部材３０を具備する構成とすることもできる（図３８参照）。
【００５８】
次に、図３９から図４８に記載の巻爪矯正具１について説明する。
なお、図３９から図４８に記載の巻爪矯正具１の説明は、図１から図３８に記載の巻爪矯正具１と同様の構成の部分については適宜省略し、図１から図３８に記載の巻爪矯正具１の構成と異なる部分を中心に説明する。
【００５９】
巻爪矯正具１は、図３９乃至図４４に示すように、弾性部材１０と、一対の端子部材２０と、一対の線状部材３０と、脱落防止部材５０と、を具備する。
【００６０】
端子部材２０は、フック部２１と、挿入部２２と、を備える。
巻爪矯正具１では、一対の端子部材２０のうち少なくともいずれか一方の端子部材２０の挿入部２２は、一端側および他端側が開口する筒体で構成され、他方の一方の端子部材２０の挿入部２２は、一端側が開口するとともに他端側に底部を有する筒体で構成される。
以下において、前記一対の端子部材２０のうち一方の端子部材２０を巻爪４０の左側縁部に配置される端子部材２０（以下「端子部材２０Ｌ」という）とし、他方の端子部材２０を巻爪４０の右側縁部に配置される端子部材２０（以下「端子部材２０Ｒ」という）として、説明する。
【００６１】
巻爪矯正具１の端子部材２０Ｌの挿入部２２は、一端側が開口する筒体で構成される。端子部材２０Ｌの挿入部２２は、他端側に底部を有する筒体で構成される。
【００６２】
巻爪矯正具１の端子部材２０Ｒの挿入部２２は、一端側および他端側が開口する筒体で構成される。端子部材２０Ｒの挿入部２２は、他端側に底部を有さない筒体で構成される。
【００６３】
巻爪矯正具１の線状部材３０は、巻爪矯正具１を巻爪４０に装着する作業者が操作することによって、端子部材２０Ｌ・２０Ｒのフック部２１が巻爪４０の両側縁部にそれぞれ引掛けられた状態で、当該端子部材２０Ｌ・２０Ｒを互いに近接する方向に付勢するように構成される。
【００６４】
巻爪矯正具１の脱落防止部材５０は、弾性部材１０に取付けられて、端子部材２０Ｒの挿入部２２に挿入された弾性部材１０が端子部材２０Ｒの挿入部２２から脱落することを防止するように構成される。
【００６５】
このように構成される巻爪矯正具１が、作業者によって巻爪４０に装着される手順について説明する。
【００６６】
まず、巻爪矯正具１では、巻爪４０の両側縁部に端子部材２０Ｌ・２０Ｒのフック部２１をそれぞれ引掛けて、巻爪４０の両側縁部に端子部材２０Ｌ・２０Ｒをそれぞれ配置する。
次に、巻爪矯正具１では、一対の線状部材３０を互いに縒り合せて行くことによって、端子部材２０Ｌ・２０Ｒを互いに近接する方向に付勢して、巻爪４０の両側縁部にそれぞれ配置される端子部材２０Ｌ・２０Ｒの位置を固定する（図４５参照）。
次に、巻爪矯正具１では、弾性部材１０を、脱落防止部材５０の他方のリング部５２（外側に位置するリング部５２）に挿入して、端子部材２０Ｒの他端側の開口（外側に位置する開口）から端子部材２０Ｒに挿入する（図４６参照）。
次に、巻爪矯正具１では、弾性部材１０を、端子部材２０Ｒの一端側の開口（内側に位置する開口）から突出させて脱落防止部材５０の一方のリング部５２（内側に位置するリング部５２）に挿入し、端子部材２０Ｌの挿入部２２に弾性部材１０を挿入して、撓むようにして巻爪４０の上方に配置する。このとき、巻爪矯正具１では、端子部材２０Ｒの他端側の開口（外側に位置する開口）から外側に弾性部材１０の一部が突出した状態となっている（図４７参照）。
次に、巻爪矯正具１では、脱落防止部材５０の線状部５１を縒り合せて、脱落防止部材５０の一対のリング部５２を端子部材２０Ｒの挿入部２２の一端側の開口と他端側の開口との近傍に位置させた状態とする（図４８参照）。
次に、巻爪矯正具１では、端子部材２０Ｒの他端側の開口（外側に位置する開口）から外側に突出する弾性部材１０を、少なくとも端子部材２０Ｒの外側（端子部材２０Ｒのフック部２１よりも外側）に突出しないような長さに切断する。
そして、巻爪矯正具１では、一対の線状部材３０を互いに縒り合せた部分を弾性部材１０に、脱落防止部材５０の線状部５１の縒り合せた部分を端子部材２０Ｒの挿入部２２に、端子部材２０Ｒの他端側の開口から外側に突出する弾性部材１０を端子部材２０Ｒの挿入部２２に、端子部材２０Ｌの挿入部２２に挿入される弾性部材１０を端子部材２０Ｌの挿入部２２に、樹脂等の接着剤またはコーティング剤でそれぞれ固定する（不図示）。
このようにして、巻爪矯正具１は、作業者によって巻爪４０に装着される（図３９または図４０参照）。
【００６７】
以上のように、巻爪矯正具１の線状部材３０は、巻爪矯正具１を巻爪４０に装着する作業者が操作すること（端子部材２０Ｌ・２０Ｒを互いに縒り合せて行くこと）によって、端子部材２０Ｌ・２０Ｒが巻爪４０の両側縁部にそれぞれ配置された状態（端子部材２０Ｌ・２０Ｒのフック部２１が巻爪４０の両側縁部にそれぞれ引掛けられた状態）で、当該端子部材２０Ｌ・２０Ｒを互いに近接する方向に付勢するように構成される。
そして、巻爪矯正具１では、線状部材３０によってこのように端子部材２０Ｌ・２０Ｒを互いに近接する方向に付勢することによって、端子部材２０Ｌ・２０Ｒを介して巻爪４０の両側縁部を引上げるようにして巻爪４０を付勢して、巻爪４０が解消するように巻爪４０を矯正する。
【００６８】
さらに、巻爪矯正具１の線状部材３０は、このように端子部材２０Ｌ・２０Ｒを互いに近接する方向に付勢して、巻爪４０の両側縁部にそれぞれ配置される端子部材２０Ｌ・２０Ｒの位置を固定する。
したがって、巻爪矯正具１によれば、端子部材２０Ｌ・２０Ｒのフック部２１が巻爪４０の両側縁部にそれぞれ引掛けられた状態で弾性部材１０を巻爪４０の上に配置するときに、巻爪４０の両側縁部にそれぞれ配置される端子部材２０Ｌ・２０Ｒの位置がズレることを防止することができる。
【００６９】
また、巻爪矯正具１の線状部材３０は、端子部材２０Ｌ・２０Ｒのフック部２１が巻爪４０の両側縁部にそれぞれ引掛けられた状態で巻爪矯正具１を巻爪４０に装着する作業者が操作するときに、一対の線状部材３０を縛るようにして端子部材２０Ｌ・２０Ｒを互いに近接する方向に付勢して、巻爪４０の両側縁部にそれぞれ配置される端子部材２０Ｌ・２０Ｒの位置を固定することもできる。
【００７０】
以上のように、一対の端子部材２０のうち少なくともいずれか一方の端子部材２０（端子部材２０Ｒ）の挿入部２２が一端側および他端側が開口する筒体で構成される巻爪矯正具１では、弾性部材１０を予め適切な長さに切断することなく弾性部材１０を配置することができる。また、巻爪矯正具１では、弾性部材１０の一端部または他端部を、一対の端子部材２０のうちいずれか一方の端子部材２０の挿入部２２にその一端側の開口から挿入することを要さない（弾性部材１０の一端部または他端部を、一対の端子部材２０のうちいずれか一方の端子部材２０の挿入部２２にその他端側の開口から挿入する）。
このため、巻爪矯正具１では、一対の端子部材２０の挿入部２２がいずれも他端側に底部を有する筒体で構成されるものに比べて、弾性部材１０を巻爪４０の上方に配置する作業（弾性部材１０を端子部材２０の挿入部２２に挿入する動作）を容易に行うことができる。
したがって、巻爪矯正具１によれば、一対の端子部材２０の挿入部２２がいずれも他端側に底部を有する筒体で構成されるものに比べて、巻爪矯正具１の巻爪４０への装着作業を容易に行うことができる。
【００７１】
また、脱落防止部材５０を具備する巻爪矯正具１では、端子部材２０の挿入部２２が一端側および他端側が開口する筒体で構成されて、弾性部材１０が端子部材２０の挿入部２２に貫装されるような構成であっても、端子部材２０（端子部材２０Ｒ）の挿入部２２に挿入された弾性部材１０が端子部材２０の挿入部２２から脱落することを防止することができる。
【００７２】
次に、図４９から図５９に記載の巻爪矯正具１について説明する。
なお、図４９から図５９に記載の巻爪矯正具１の説明は、図１から図４８に記載の巻爪矯正具１と同様の構成の部分については適宜省略し、図１から図４８に記載の巻爪矯正具１の構成と異なる部分を中心に説明する。
【００７３】
巻爪矯正具１は、図４９乃至図５４に示すように、弾性部材１０と、一対の端子部材２０と、一対の線状部材３０と、を具備する。
【００７４】
巻爪矯正具１の端子部材２０は、フック部２１と、二個（複数個）の挿入部２３と、を備える。
端子部材２０は、金属素材からなる平面視長方形の平板状の部材の長手方向一端部側が正面視略Ｕ字状（正面視略コ字状）に形成されて構成される。
端子部材２０のフック部２１は、前記正面視略Ｕ字状に形成される部分で構成される。
【００７５】
巻爪矯正具１の端子部材２０の挿入部２３は、巻爪矯正具１を巻爪４０に装着する作業者が操作することによって、弾性部材１０の一端部または他端部が挿入された状態で、挿入部２３の内面が弾性部材１０側に近接する方向に収縮可能に構成される。
端子部材２０の挿入部２３は、リング体で構成される。
端子部材２０の挿入部２３は、可塑性を有する素材で構成される。端子部材２０の挿入部２３は、金属素材のワイヤで構成される。
端子部材２０の挿入部２３は、弾性部材１０の一端部または他端部の外径よりも大きい内径を有して構成される。端子部材２０の挿入部２３は、弾性部材１０の一端部または他端部を挿入可能に構成される。
【００７６】
巻爪矯正具１の端子部材２０の二個の挿入部２３は、前記平板状の部材の前記正面視略Ｕ字状に形成される部分以外の部分にそれぞれ設けられる。
端子部材２０の二個の挿入部２３は、前記平板状の部材の長手方向に沿って、前記平板状の部材の長手方向他端部と中途部とにそれぞれ配置される。
端子部材２０の二個の挿入部２３は、そのフック部２１が巻爪４０の側縁部に引掛けられた状態で、巻爪４０の上方（巻爪４０の上面の上方）に位置するように構成される。
端子部材２０の二個の挿入部２３は、フック部２１が爪の側縁部に引掛けられた状態で、前記平板状の部材における二個の挿入部２３が設けられる部分を結ぶ直線が、巻爪４０の両側縁部を結ぶ直線に対して傾斜するように、構成される。
【００７７】
このように構成される巻爪矯正具１が、作業者によって巻爪４０に装着される手順について説明する。
【００７８】
まず、巻爪矯正具１では、巻爪４０の両側縁部に一対の端子部材２０のフック部２１をそれぞれ引掛けて、巻爪４０の両側縁部に一対の端子部材２０をそれぞれ配置する（図５５参照）。
次に、巻爪矯正具１では、一対の線状部材３０を互いに縒り合せて行くことによって、一対の端子部材２０を互いに近接する方向に付勢して、巻爪４０の両側縁部にそれぞれ配置される一対の端子部材２０の位置を固定する（図５６参照）。
次に、巻爪矯正具１では、一対の端子部材２０のそれぞれの二個の挿入部２３に弾性部材１０の一端および他端をそれぞれ挿入して、撓むようにして巻爪４０の上方に弾性部材１０を配置する。
このとき、巻爪矯正具１では、弾性部材１０の一端部または他端部が端子部材２０の二個の挿入部２３に挿入された状態で、端子部材２０の二個の挿入部２３をコヨリ状にするようにそれぞれ捩じって行くことによって、端子部材２０の二個の挿入部２３の内面を弾性部材１０側に近接する方向にそれぞれ収縮させる（図４９乃至図５１参照）。巻爪矯正具１では、弾性部材１０の一端部または他端部の全周に端子部材２０の挿入部２３が当接（密着）するように端子部材２０の挿入部２３を捩じる。巻爪矯正具１では、端子部材２０の挿入部２３に弾性部材１０の一端部または他端部が挿入された状態で挿入部２３の内面と弾性部材１０の外面とが当接して、弾性部材１０の一端部または他端部が端子部材２０の挿入部２３に挿入された状態が保持される。
そして、巻爪矯正具１では、端子部材２０の二個の挿入部２３のコヨリ状にされた部分を樹脂等の接着剤またはコーティング剤（不図示）で固定するとともに、一対の線状部材３０を互いに縒り合せた部分と弾性部材１０とを樹脂等の接着剤またはコーティング剤（不図示）で、固定する。
このようにして、巻爪矯正具１は、作業者によって巻爪４０に装着される。
【００７９】
以上のように、巻爪矯正具１では、巻爪矯正具１を巻爪４０に装着する作業者が操作すること（端子部材２０の挿入部２３をコヨリ状にするようにそれぞれ捩じって行くこと）によって、弾性部材１０の一端部または他端部が端子部材２０の挿入部２３に挿入された状態で、端子部材２０の挿入部２３の内面が弾性部材１０側に近接する方向に収縮可能に構成される。
巻爪矯正具１では、このように弾性部材１０の一端部または他端部が挿入された状態で挿入部２３の内面が弾性部材１０側に近接する方向に収縮されることによって、弾性部材１０の一端部または他端部の全周に端子部材２０の挿入部２３を当接させることができ、弾性部材１０の一端部または他端部が端子部材２０の挿入部２３から脱落することを確実に抑制することができる。
【００８０】
また、巻爪矯正具１は、巻爪矯正具１を巻爪４０に装着する作業者が操作することによって、弾性部材１０の一端部または他端部が挿入された状態で挿入部２３の内面が弾性部材１０側に近接する方向に収縮可能に構成される挿入部２３を、二個（複数個）備える。
このため、巻爪矯正具１では、端子部材２０の二個（複数個）の挿入部２３に弾性部材１０の一端部または他端部が挿入された状態で、弾性部材１０の一端部の二箇所（複数箇所）、また、弾性部材１０の他端部の二箇所（複数箇所）おいて端子部材２０の挿入部２３の内面と弾性部材１０の外面とが当接して、弾性部材１０の一端部または他端部が端子部材２０の挿入部２３に挿入された状態が保持される。
したがって、巻爪矯正具１によれば、端子部材２０の挿入部２３が単数のものに比べて、弾性部材１０の一端部または他端部が端子部材２０の挿入部２３から脱落することをより確実に抑制することができる。
【００８１】
また、巻爪矯正具１では、端子部材２０の二個の挿入部２３同士の間隔が極力広くなるように端子部材２０の二個の挿入部２３を配置（例えば、端子部材２０の二個の挿入部２３を、前記平板状の部材の前記正面視略Ｕ字状に形成される部分以外の部分における前記平板状の部材の長手方向両端に配置）することもできる。
巻爪矯正具１では、このように端子部材２０の二個の挿入部２３を配置することによって、弾性部材１０の一端部または他端部が端子部材２０の挿入部２３から脱落することを確実に抑制することができる。
【００８２】
なお、巻爪矯正具１の端子部材２０の挿入部２３を、可塑性を有する一対の線状のワイヤで構成し（図５７参照）、巻爪矯正具１を巻爪４０に装着する作業者によって操作されることによって一対の線状のワイヤからリング状に形成されるように構成することもできる。このとき、巻爪矯正具１を巻爪４０に装着する作業者によって操作されて端子部材２０の挿入部２３（一対の線状のワイヤ）がリング状に形成されて、弾性部材１０の一端部または他端部が当該端子部材２０の挿入部２３に挿入された状態で、端子部材２０の挿入部２３（一対の線状のワイヤを互いに）縒り合せて、また、端子部材２０の挿入部２３（一対の線状のワイヤ）を縛るようにして、端子部材２０の挿入部２３の内面が弾性部材１０側に近接する方向に収縮させる。
また、巻爪矯正具１の線状部材３０は、樹脂素材からなる可撓性を有する素材で構成することもできる。
【００８３】
また、巻爪矯正具１は、端子部材２０は、その平板状の部材の前記正面視略Ｕ字状に形成される部分以外の部分にワイヤが螺旋状に配置されることにより、二個（複数個）の挿入部２３を構成することもできる（図５８または図５９参照）。
【００８４】
次に、図６０から図６７に記載の巻爪矯正具１について説明する。
なお、図６０から図６７に記載の巻爪矯正具１の説明は、図１から図５９に記載の巻爪矯正具１と同様の構成の部分については適宜省略し、図１から図５９に記載の巻爪矯正具１の構成と異なる部分を中心に説明する。
【００８５】
巻爪矯正具１は、図６０乃至図６４に示すように、弾性部材１０と、一対の端子部材２０と、一対の線状部材３１と、を具備する。
【００８６】
巻爪矯正具１の線状部材３１は、巻爪矯正具１を巻爪４０に装着する作業者が操作することによって、一対の端子部材２０のフック部２１が巻爪４０の両側縁部にそれぞれ引掛けられた状態で、当該一対の端子部材２０を互いに近接する方向に付勢するとともに、縛るようにして弾性部材１０を撓ませるように構成される。
線状部材３１は、その一端部に輪部３２を備える金属素材のワイヤで構成される。
線状部材３１の輪部３２は、弾性部材１０を貫入可能な輪状に構成される。
【００８７】
巻爪矯正具１の端子部材２０は、フック部２１と、二個（複数個）の挿入部２４と、筒部２５と、を備える。
【００８８】
巻爪矯正具１の端子部材２０の筒部２５は、線状部材３１が貫入されるように構成される。端子部材２０の筒部２５は、一端側および他端側が開口する筒体で構成される。
端子部材２０の筒部２５は、そのフック部２１が巻爪４０の側縁部に引掛けられた状態で、巻爪４０の上方（巻爪４０の上面の上方）に位置するように構成される。端子部材２０の筒部２５は、フック部２１が巻爪４０の側縁部に引掛けられた状態で、筒部２５の一端側が他端側よりも上方に位置するとともに、筒部２５の軸心が巻爪４０の両側縁部を結ぶ直線に対して傾斜するように構成される。
【００８９】
巻爪矯正具１の端子部材２０の二個の挿入部２４は、線状部材３１の一部によって構成される。
【００９０】
このように構成される巻爪矯正具１が、作業者によって巻爪４０に装着される手順について説明する。
【００９１】
まず、巻爪矯正具１では、巻爪４０の両側縁部に一対の端子部材２０のフック部２１をそれぞれ引掛けて、巻爪４０の両側縁部に一対の端子部材２０をそれぞれ配置する。
次に、巻爪矯正具１では、一対の端子部材２０の筒部２５に、一対の線状部材３１の一部を挿入して配置する。このとき、巻爪矯正具１では、線状部材３１の輪部３２と他端部（輪部３２を備えない側の端部）とが端子部材２０の筒部２５の一端側の開口側から突出するとともに、線状部材３１の中途部（中途部の一部）が端子部材２０の筒部２５の他端側の開口側から突出するようにして、端子部材２０の筒部２５に線状部材３１の一部を挿入して配置する（図６５または図６６参照）。巻爪矯正具１では、このように線状部材３１を配置することより、線状部材３１の輪部３２と、端子部材２０の筒部２５の他端側の開口側から突出する線状部材３１の中途部とで、端子部材２０の二個の挿入部２４として構成される。
次に、巻爪矯正具１では、一対の端子部材２０の二個の挿入部２４（線状部材３１の輪部３２、および、端子部材２０の筒部２５の他端側の開口側から突出する線状部材３１の中途部）に弾性部材１０の一端および他端をそれぞれ挿入し、斯かる状態で一対の線状部材３１を互いに縒り合せて行くことによって、一対の端子部材２０を互いに近接する方向に付勢するとともに、挿入部２４（線状部材３１）で縛るようにして弾性部材１０を撓ませていき、巻爪４０の上方に弾性部材１０を配置する（図６７参照）。
そして、巻爪矯正具１では、一対の線状部材３１の縒り合わせた部分と弾性部材１０とを樹脂等の接着剤またはコーティング剤（不図示）で、固定する。
このようにして、巻爪矯正具１は、作業者によって巻爪４０に装着される（図３９または図４０参照）。
【００９２】
以上のように、一対の端子部材２０を互いに近接する方向に付勢するとともに、弾性部材１０を撓ませるように構成される線状部材３１を具備する、巻爪矯正具１では、一対の端子部材２０を互いに近接する方向に付勢すると同時に、弾性部材１０を撓ませることができ、従来の巻爪矯正具（一対の端子部材２０と弾性部材１０の一端および他端との接着箇所が十分に接着されるまで、前記接着箇所が動かないように端子部材２０と弾性部材１０とを保持しておく必要がある巻爪矯正具）に比べて、巻爪矯正具１の巻爪４０への装着作業を容易に行うことができる。
【００９３】
次に、図６８から図７３に記載の巻爪矯正具１について説明する。
なお、図６８から図７３に記載の巻爪矯正具１の説明は、図１から図６７に記載の巻爪矯正具１と同様の構成の部分については適宜省略し、図１から図６７に記載の巻爪矯正具１の構成と異なる部分を中心に説明する。
【００９４】
巻爪矯正具１は、図６８に示すように、一対の弾性部材１０と、一対の端子部材２０と、一対の線状部材３０と、留め部材６０と、を具備する。
【００９５】
巻爪矯正具１の一対の弾性部材１０は、所定の弾性力を有する部材であり、形状記憶合金素材または形状記憶樹脂素材からなる直線状の棒状にそれぞれ構成される。
一対の弾性部材１０は、巻爪矯正具１が巻爪４０に装着された状態で、それぞれの一方の端部が巻爪４０の両側縁部に位置するとともに、互いに交差するようにして巻爪４０の上方（巻爪４０の上面の上方）にそれぞれ配置される。
一対の弾性部材１０は、巻爪矯正具１が巻爪４０に装着された状態で、その胴部が撓むようにして配置されて、巻爪４０の両側縁部を引上げるようにそれぞれ構成される。
弾性部材１０は、前記撓むようにして配置された状態で、少なくとも、巻爪４０の側縁から巻爪４０の中央部よりも反対側の縁部側に亘るような長さにそれぞれ構成される。弾性部材１０は、前記撓むようにして配置された状態で、巻爪４０の側縁から巻爪４０の反対側の縁部近傍に亘るようにそれぞれ構成される。
【００９６】
巻爪矯正具１の端子部材２０は、フック部２１と、挿入部２２と、を備える。
一対の端子部材２０の挿入部２２は、一対の弾性部材１０の一端部がそれぞれ挿入されて、弾性部材１０が固定されるように構成される。
端子部材２０の挿入部２２は、一端側が開口する筒体で構成される。端子部材２０の挿入部２２は、他端側に底部を有する筒体で構成される。
【００９７】
巻爪矯正具１では、挿入部２２の一端部を端子部材２０の挿入部２２に挿入し（図６９参照）、当該挿入部２２が端子部材２０の挿入部２２に挿入された状態で端子部材２０の挿入部２２がかしめられて端子部材２０（端子部材２０の挿入部２２）に弾性部材１０が固定されて構成される（図７０参照）。
【００９８】
巻爪矯正具１の線状部材３０は、巻爪矯正具１を巻爪４０に装着する作業者が操作することによって、一対の端子部材２０のフック部２１が巻爪４０の両側縁部にそれぞれ引掛けられた状態で、当該一対の端子部材２０を互いに近接する方向に付勢するように構成される。
線状部材３０は、端子部材２０にそれぞれ固定して設けられる。
【００９９】
巻爪矯正具１の留め部材６０は、一対の弾性部材１０を撓ませた状態で互いに留めるように構成される。
留め部材６０は、一対の弾性部材１０を撓ませた状態で挿入可能な筒状に構成される。
【０１００】
このように構成される巻爪矯正具１が、作業者によって巻爪４０に装着される手順について説明する。
【０１０１】
まず、巻爪矯正具１では、巻爪４０の両側縁部に一対の端子部材２０のフック部２１をそれぞれ引掛けて、巻爪４０の両側縁部に一対の端子部材２０をそれぞれ配置する（図７１参照）。
次に、巻爪矯正具１では、一対の線状部材３０を互いに縒り合せて行くことによって、一対の端子部材２０を互いに近接する方向に付勢する（図７２参照）。
次に、巻爪矯正具１では、一対の弾性部材１０をその他端部側から留め部材６０に挿入して、撓むようにして巻爪４０の上方に弾性部材１０を配置する（図７３参照）。
そして、巻爪矯正具１では、巻爪矯正具１では、一対の弾性部材１０が留め部材６０に挿入された状態で、一対の弾性部材１０の他端部および留め部材６０を巻爪４０に、樹脂等の接着剤またはコーティング剤（不図示）で固定する。
このようにして、巻爪矯正具１は、作業者によって巻爪４０に装着される。
なお、巻爪矯正具１では、一対の弾性部材１０を留め部材６０に挿入する前に、巻爪矯正具１が装着される巻爪４０に応じた適切な長さになるように弾性部材１０を予め切断しておくこともできる。また、巻爪矯正具１では、一対の弾性部材１０を留め部材６０に挿入した後に、巻爪矯正具１が装着される巻爪４０に応じた適切な長さになるように弾性部材１０を切断しておくこともできる。
【０１０２】
以上のように、一対の端子部材２０の挿入部２２に一対の弾性部材１０の一端部をそれぞれ挿入して、撓むようにして巻爪４０の上方に弾性部材１０を配置して、弾性部材１０の弾性力によって一対の端子部材２０を介して巻爪４０の両側縁部を引上げるようにして巻爪４０が解消するように巻爪４０を矯正する、巻爪矯正具１では、弾性部材１０の一端部と他端部とをそれぞれ一対の端子部材２０の挿入部２２に挿入するように構成されるものに比べて、弾性部材１０を巻爪４０の上方に配置する作業（弾性部材１０を端子部材２０の挿入部２２に挿入する動作）を容易に行うことができる。
したがって、巻爪矯正具１によれば、弾性部材１０の一端部と他端部とをそれぞれ一対の端子部材２０の挿入部２２に挿入するように構成されるものに比べて、巻爪矯正具１の巻爪４０への装着作業を容易に行うことができる。
【０１０３】
一対の弾性部材１０を撓ませた状態で互いに留めるように構成される留め部材６０を具備する巻爪矯正具１では、一対の弾性部材１０を撓ませて巻爪４０に固定するときに、一対の弾性部材１０同士が離間することを防止して、一対の弾性部材１０を巻爪４０の上方の所望の位置に配置（固定）する作業を容易に行うことができる。
【符号の説明】
【０１０４】
１    巻爪矯正具
１０  弾性部材
２０  端子部材
２１  フック部
２２  挿入部
２３  挿入部
３０  線状部材
４０  巻爪
【図１】
2014113322.tif 000003
【図２】
2014113322.tif 000004
【図３】
2014113322.tif 000005
【図４】
2014113322.tif 000006
【図５】
2014113322.tif 000007
【図６】
2014113322.tif 000008
【図７】
2014113322.tif 000009
【図８】
2014113322.tif 000010
【図９】
2014113322.tif 000011
【図１０】
2014113322.tif 000012
【図１１】
2014113322.tif 000013
【図１２】
2014113322.tif 000014
【図１３】
2014113322.tif 000015
【図１４】
2014113322.tif 000016
【図１５】
2014113322.tif 000017
【図１６】
2014113322.tif 000018
【図１７】
2014113322.tif 000019
【図１８】
2014113322.tif 000020
【図１９】
2014113322.tif 000021
【図２０】
2014113322.tif 000022
【図２１】
2014113322.tif 000023
【図２２】
2014113322.tif 000024
【図２３】
2014113322.tif 000025
【図２４】
2014113322.tif 000026
【図２５】
2014113322.tif 000027
【図２６】
2014113322.tif 000028
【図２７】
2014113322.tif 000029
【図２８】
2014113322.tif 000030
【図２９】
2014113322.tif 000031
【図３０】
2014113322.tif 000032
【図３１】
2014113322.tif 000033
【図３２】
2014113322.tif 000034
【図３３】
2014113322.tif 000035
【図３４】
2014113322.tif 000036
【図３５】
2014113322.tif 000037
【図３６】
2014113322.tif 000038
【図３７】
2014113322.tif 000039
【図３８】
2014113322.tif 000040
【図３９】
2014113322.tif 000041
【図４０】
2014113322.tif 000042
【図４１】
2014113322.tif 000043
【図４２】
2014113322.tif 000044
【図４３】
2014113322.tif 000045
【図４４】
2014113322.tif 000046
【図４５】
2014113322.tif 000047
【図４６】
2014113322.tif 000048
【図４７】
2014113322.tif 000049
【図４８】
2014113322.tif 000050
【図４９】
2014113322.tif 000051
【図５０】
2014113322.tif 000052
【図５１】
2014113322.tif 000053
【図５２】
2014113322.tif 000054
【図５３】
2014113322.tif 000055
【図５４】
2014113322.tif 000056
【図５５】
2014113322.tif 000057
【図５６】
2014113322.tif 000058
【図５７】
2014113322.tif 000059
【図５８】
2014113322.tif 000060
【図５９】
2014113322.tif 000061
【図６０】
2014113322.tif 000062
【図６１】
2014113322.tif 000063
【図６２】
2014113322.tif 000064
【図６３】
2014113322.tif 000065
【図６４】
2014113322.tif 000066
【図６５】
2014113322.tif 000067
【図６６】
2014113322.tif 000068
【図６７】
2014113322.tif 000069
【図６８】
2014113322.tif 000070
【図６９】
2014113322.tif 000071
【図７０】
2014113322.tif 000072
【図７１】
2014113322.tif 000073
【図７２】
2014113322.tif 000074
【図７３】
2014113322.tif 000075